(57)【特許請求の範囲】
【請求項１】
便器本体の洗浄をするための洗浄水を貯水する貯水タンクと、上記便器本体に上記貯水タンクから洗浄水を供給する吐出口を有する水洗式大便器のタンク構造であって、
上記貯水タンクには上記吐出口への洗浄水の供給及び停止を行うための排水弁が設けられ、
上記貯水タンクには、上記便器本体にリフィール水を供給するための補給水管が設けられ、
この補給水管には、給水管が直接に接続されておらず、上記給水管から上記貯水タンクへ洗浄水が供給され、この貯水タンクの洗浄水の水位が上記補給水管の上端を超えると、上記補給水管内に流入する洗浄水の溢水により便器本体にリフィール水が給水され、その後所定時間経過すると、上記給水管から上記貯水タンクへ供給される洗浄水が止水され、上記便器本体への上記リフィール水の給水が停止されることを特徴とする水洗式大便器。
【請求項２】
上記補給水管は、上記便器本体のトラップ部に空気を注入するための導気通路を兼ねている請求項１に記載の水洗式大便器。
【発明の詳細な説明】
【技術分野】
【０００１】
本発明は、水洗式大便器に係り、特に、便器本体の洗浄をするための洗浄水を貯水する
貯水タンクと、上記便器本体に上記貯水タンクから洗浄水を供給する吐出口を有する水洗式大便器に関する。
【背景技術】
【０００２】
特許文献１には、リム用洗浄水タンクの水位が上昇すると、洗浄水がそのリム用洗浄水タンクの切り欠き部からジェット洗浄水用タンクに流れるようにされた水洗式大便器が開示されている。
また、特許文献２には、ロータンク内にオーバーフロー管とは別に、便器本体側に給水管からのリフィール水を供給する補給水管を設けた水洗式大便器が開示されている。
同様に、特許文献３には、ロータンク内にオーバーフロー管とは別に、便器本体側に給水管からのリフィール水を供給する補給水管を設けた水洗式大便器が開示されている。
【０００３】
【特許文献１】特開２００６−２９１４５１号公報
【特許文献２】実開平４−１２７６号公報
【特許文献３】特開昭６１−１２２３３９号公報
【発明の開示】
【発明が解決しようとする課題】
【０００４】
ここで、特許文献１に記載の水洗式大便器では、給水管からのリフィール水が給水管の延長部を介してオーバーフロー管内に直接供給されるようになっており、このオーバーフロー管に供給された洗浄水は、ジェット用吐水口をバイパスして、洗浄終了後、ボウル部内の洗浄水の水位を所定位置に復帰させる（リフィール）ようにしている。しかしながら、このような給水管の延長部は、タンク内でスペースをとるものであり、タンクの小型化の妨げとなっていた。また、給水管からの洗浄水の給水圧力の変動を受けて、リフィール水の水量がばらつくという問題もあった。
【０００５】
一方、特許文献２及び３に記載の構造によっても、オーバーフロー管とは別に、便器本体側に給水管からのリフィール水を供給する補給水管を設ける必要があり、これらにおいても、そのような補給水管がタンクの小型化の妨げとなっていた。また、これらの構造においても、給水管からの洗浄水の給水圧力の変動を受けて、リフィール水の水量がばらつくという問題があった。
【０００６】
本発明は、上述した従来技術の問題点を解決するためになされたものであり、省スペースで、常に一定のリフィール水を供給することが出来る水洗式大便器を提供することを目的とする。
【課題を解決するための手段】
【０００７】
上記の目的を達成するために本発明は、便器本体の洗浄をするための洗浄水を貯水する貯水タンクと、便器本体に貯水タンクから洗浄水を供給する吐出口を有する水洗式大便器のタンク構造であって、上記貯水タンクには上記吐出口への洗浄水の供給及び停止を行うための排水弁が設けられ、上記貯水タンクには、上記便器本体にリフィール水を供給するための補給水管が設けられ、この補給水管には、給水管が直接に接続されておらず、上記給水管から上記貯水タンクへ洗浄水が供給され、この貯水タンクの洗浄水の水位が上記補給水管の上端を超えると、上記補給水管内に流入する洗浄水の溢水により便器本体にリフィール水が給水され、その後所定時間経過すると、上記給水管から上記貯水タンクへ供給される洗浄水が止水され、上記便器本体への上記リフィール水の給水が停止されることを特徴としている。
【０００８】
このように構成された本発明においては、貯水タンクには給水管から洗浄水が供給され、貯水タンクには、便器本体にリフィール水を供給するための補給水管が設けられ、給水管から貯水タンクへ洗浄水が供給されこの貯水タンクの洗浄水の水位が所定水位を超えると、補給水管から便器本体にリフィール水が給水されるようになっている。従って、補給水管からの溢水によりリフィール水を供給することが出来、従来のような給水弁とオーバーフロー管を連通した補給水管構造が不要になるため、貯水タンク内の部品配置を簡素化でき、貯水タンク内にスペースを生み出すことが出来る。また、補給水管に給水管が直接に接続されていないため、リフィール水を供給する際、給水管の給水圧力による変動を受け難く、補助水管から給水される補助水量をほぼ一定に保つことが出来る。
【００１０】
また、本発明において、好ましくは、補給水管は、便器本体のトラップ部に空気を注入するための導気通路を兼ねている。
このように構成された本発明においては、導気通路を補給水管として利用しているため、便器本体にリフィール水用の通路を新たに設ける必要がなく、スペースを有効活用することが出来る。また、便器本体に複数の通路を設ける構成にしなくて良いため、便器本体の製造コストを削減することが出来る。
【発明の効果】
【００１２】
本発明によれば、省スペースで、常に一定のリフィール水を供給することが出来る。
【発明を実施するための最良の形態】
【００１３】
以下、添付図面を参照して、本発明の実施形態による水洗式大便器のタンク構造を説明する。
先ず、図１により、本発明の実施形態による水洗大便器の構造を説明する。図１は、本発明の実施形態による水洗大便器の断面図である。
【００１４】
図１に示すように、本発明の実施形態による水洗大便器１は、陶器からなる便器本体２を有し、この便器本体２には、汚物を受けるボウル部４と、このボウル部４の底部から延びる排水トラップ管路６と、ジェット吐水を行うジェット吐水口８と、リム吐水を行うリム吐水口１０が形成されている。
ジェット吐水口８は、ボウル部４の底部に形成されており、排水トラップ管路６の入口に指向してほぼ水平に配置され、洗浄水を排水トラップ管路６に向けて吐水するようになっている。リム吐水口１０は、ボウル部４の左側上部後方に形成されており、ボウル部４の上縁に沿って洗浄水を吐出するようになっている。
【００１５】
排水トラップ管路６は、入口部６ａと、この入口部６ａから上昇するトラップ上昇管６ｂと、このトラップ上昇管６ｂから下降するトラップ下降管６ｃとからなり、トラップ上昇管６ｂとトラップ下降管６ｃとの間が頂部６ｄとなっている。トラップ下降管６ｃの下端には配水管（図示せず）が接続されている。
【００１６】
ジェット吐水口８及びリム吐水口１０は、洗浄水タンク１２に接続され、洗浄水タンク１２内の洗浄水が、ジェット吐水口８及びリム吐水口１０から吐出されるようになっている。より詳細には、ジェット吐水口８は、ジェットタンク１４に接続され、ジェットタンク１４内の洗浄水が、ジェット吐出口１４ａ（図３参照）を介してジェット吐水口８に供給される。また、リム吐水口１０は、後述するようにジェットタンク１４の内側に設けられたリムタンク１６に接続され、リムタンク１６内の洗浄水が、リム吐出口１６ａ（図３参照）を介してリム吐水口１０に供給される。
【００１７】
また、水洗大便器１は、導気通路２０をさらに備えている。この導気通路２０は、後述するようにリムタンク１６内に設けられ、上端が大気開放されている導気管路２２と、便器本体２の内部に排水トラップ管路６の側面の一部分に沿って一体に形成された導気室２４とによって構成されている。これらの導気通路２２及び導気室２４は、後述するようにリフィール水をボウル部４に供給するための補給水路を兼ねている。
【００１８】
さらに、排水トラップ管路６の入口部６ａには、導気孔２８が形成されており、排水トラップ管路６と導気室２４とを連通させている。ここで、導気通路２０の作用を説明する。
先ず、導気室２４は、導気孔２８により排水トラップ管路６と連通しているため、サイホン作用により、導気室２４内の溜水は導気孔２８を経て排水トラップ管路６内に引き込まれ、導気室２４内の水位が降下する。そして、サイホン作用が継続することにより、導気室２４内の溜水のほとんどが導気孔２８から排水トラップ管路６内に引き出され、導気室２４内の水位が導気孔２８の上縁よりも降下すると、導気室２４内の溜水の排水がほぼ終了する。そして、導気室２４内の空気が、導気孔２８を経て排水トラップ管路６内へ引き込まれ、大気が導気通路２４を通って排水トラップ管路６内に導入され始める。
【００１９】
さらに、導気孔２８から排水トラップ管路６内に空気が引き込まれたことにより、その分排水トラップ管路６内の負圧が小さくなり、サイホン作用によるボウル部４から排水トラップ管路６内へ溜水を吸引する力が弱まる。このとき、ボウル部４内の水位は、排水トラップ管路入口部６ａの上縁よりもわずかに上方に位置しており、ボウル部４から排水トラップ管路６内に空気が引き込まれる直前の状態となっている。
【００２０】
さらに、サイホン作用によるボウル部４から排水トラップ管路６内へ溜水を吸引する力は弱まりつつも持続しているため、ボウル部４内の水位がさらに低下する。ボウル部４内の水位が排水トラップ管路入口部６ａの上縁よりも下回ると、ボウル部４の水面と排水トラップ管路入口部６ａの上縁との空間が生じ、ボウル部４から排水トラップ管路６内へ空気が引き込まれた後、サイホン作用が終了する。
【００２１】
このように、ボウル部４内から排水トラップ管路６内に空気が引き込まれる際には、すでに導気通路２４内の空気が導気孔２８から排水トラップ管路６内へ導入されており、排水トラップ管路６内のサイホン作用によるボウル部４から排水トラップ管路６内へ溜水を吸引する力が弱められているため、サイホン切れ音はほとんど聞こえないぐらいに小さい。
【００２２】
次に、図２及び図３により、本発明の第１実施形態による洗浄水タンクの構造を説明する。図２は、本発明の第１実施形態による洗浄水タンクの内部を上方から見た平面図であり、洗浄水タンクの蓋部を省略し、便器本体側が手前になるように示している。図３は、図２のIII-III線に沿って見た洗浄水タンクの断面図である。
図２及び図３に示すように、ジェットタンク１４の底面には、ジェット吐出口１４ａを開閉可能なジェット排水弁３０が設けられている。このジェット排水弁３０は、玉鎖（図示せず）によって、洗浄操作レバー３２に連結された操作機構部３４に接続されている。そして、洗浄操作レバー３２を回すと、このジェット排水弁３０が引き上げられて所定時間ジェット吐出口１４ａが開放され、ジェットタンク１４内に収容されている洗浄水がジェット吐水口８に流れるようになっている。
【００２３】
また、リムタンク１６の底面には、リム吐出口１６ａを開閉可能なリム排水弁３６が設けられている。このリム排水弁３６も、ジェット排水弁３０と同様に、玉鎖（図示せず）によって、操作機構部３４に接続されている。そして、洗浄操作レバー３２を回すと、このリム排水弁３６が引き上げられて所定時間リム吐出口１６ａが開放され、リムタンク１６内に収容されている洗浄水がリム吐水口１０に流れるようになっている。
本実施形態では、一度の操作でジェット排水弁３０とリム排水弁３６を開弁することができるように設定されている。
【００２４】
また、洗浄水タンク１２のジェットタンク１４内には、ボールタップ４０が設けられている。このボールタップ４０は、主にフロート４２及びダイアフラム弁４４を有しており。フロート４２の周囲の洗浄水の水位が下がると、フロート４２の位置も下方に下がり、そのように下がると、ダイアフラム弁４４を開放する。一方、フロート４２の周囲の洗浄水の水位が上がると、フロート４２が洗浄水に浮かんでその位置が上方に上がり、ダイアフラム弁４４を閉鎖する。
【００２５】
ここで、ダイアフラム弁４４には、止水栓４６を介して水道に接続された給水管４８が接続されている。給水管４８は、止水栓４６から洗浄水タンク１２の底部まで延びる第１部分４８ａと、ジェットタンク１４の底部からダイアフラム弁４４まで延びる第２部分４８ｂと、ダイアフラム弁４４からリムタンク１６への給水口４８ｃまで延びる第３部分４８ｄとで構成されている。そして、ダイアフラム弁４４が開放されると、洗浄水が給水口４８ｃからリムタンク１６内に供給され、ダイアフラム弁４４が閉鎖されると、洗浄水のリムタンク１６への供給が止まるようになっている。
【００２６】
リムタンク１６内には、上述したように導気管路２２が設けられている。この導気管路２２は、リフィール水をボウル部４に供給するための補給水路を兼ねている。即ち、リムタンク１６内に給水管４８から洗浄水が供給されると、リムタンク１６内の洗浄水が上昇し、その水位が補給水路２２の図３のＬ0で示す上端部まで来ると、その補給水路２２に洗浄水が流れ込み、この流れ込んだ洗浄水がリフィール水としてボウル部４に供給されるのである。
【００２７】
ここで、便器本体１の洗浄が行われ、ジェットタンク１４内及びリムタンク１６内の洗浄水がＤＷＬ（デッドウォーターライン）まで下がると、ジェット排水弁３０及びリム排水弁３６が閉じ、給水管４８の給水口４８ｃからリムタンク１６内への洗浄水の供給が始まる。そして、本発明の実施形態では、リムタンク１６内の洗浄水が、図３でＬ0で示すラインまで上昇すると、上述したように補給水路２２に洗浄水が流れ込むと同時に、同じくラインＬ0が下縁部となっているジェットタンク洗浄水供給口５０から、ジェットタンク導水路５２を介してジェットタンク１４への給水が開始されるようになっている。そして、ジェットタンク１４内の洗浄水の水位が上昇し、ボールタップ４０のフロート４２が上昇し、所定水位に達すると、ダイアフラム弁４４が閉じられて、給水管４８の給水口４８ｃからリムタンク１６内への洗浄水の供給が終わる。
【００２８】
ここで、図４乃至図７により、本発明の第１実施形態による、ジェットタンク洗浄水供給口５０及びジェットタンク導水路５２の構成を説明する。図４は、本発明の第１実施形態によるリムタンクを示す斜視図であり、図５は、本発明の第１実施形態によるリムタンクを側方から見た側面図であり、図６は、本発明の第１実施形態によるリムタンクを上方から見た平面図であり、図７は、図６のVII-VII線に沿って見た断面図であり、図８は、図６のVIII-VIII線に沿って見た断面図であり、図９は、図６のIX-IX線に沿って見た断面図である。
【００２９】
図４に示すように、リムタンク１６には、その周縁部の一部が切り欠かれてジェットタンク洗浄水給水口５０が形成されている。図４及び図５に示すように、このジェットタンク洗浄水給水口５０は、側面視でほぼ矩形状に切り欠かれており、その空間の下縁部５０ａが、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、洗浄水がこのジェットタンク洗浄水給水口５０から溢れ出るようになっている。そして、ジェットタンク１４への給水が行われる。
【００３０】
また、図４及び図６に示すように、ジェットタンク洗浄水給水口５０は、平面視で、リムタンク１６の周縁部から、リムタンク１６の内方に向かって凹状になるように形成されている。本実施形態では、その凹状の部分５０ｂが、ほぼ矩形状に形成されている。なお、凹状の形状として、半円形や半楕円などの他の形状でも良い。
【００３１】
次に、ジェットタンク洗浄水給水口５０は、図４及び図６に示すように、平面視でその角部５０ｄが平面視でＲ形状に形成された矩形形状を有している。また、図４、図６乃至図９に示すように、ジェットタンク洗浄水給水口５０は、その下端部が、平面視で見て、直線状の３辺及びのＲ形状に形成された２つの角部において、側方且つ斜め上方に向けて突出した湾曲形状の曲面５０ｅで構成されている。より詳細には、この下端部の湾曲形状の曲面５０ｅは、その法線が断面において変化する。つまり、法線は、下端部の上縁部方では、垂直方向の上方に向いており、その下端部の上方から下方に向かうほど垂直方向の上方から斜め下方且つ側方に向けて変化し、下端部の下縁部では側方の水平方向に向けて延びるようになっている。この曲面５０ｅは、その断面が円弧状に形成されている。
【００３２】
なお、下端部の湾曲形状は、円弧状ではなく、他の形状の面で構成されていても良い。このように、湾曲形状の曲面５０ｅが設けられることにより、ジェットタンク洗浄水給水口５０から溢れ出た洗浄水は、その粘性或いは表面張力により、その湾曲形状の曲面５０ｅから離れることなく、そして、その曲面５０ｅに連続的に接続されたジェットタンク導水路５２から離れることなく、ジェットタンク導水路５２を伝って下方まで流れる。
【００３３】
次に、ジェットタンク洗浄水給水口５０の下端部５０ｃより下方には、ジェットタンク導水路５２が形成されている。このジェットタンク導水路５２は、ジェットタンク洗浄水供給口の平面視で凹状に形成された部分５０ｂが下方に向かって延ばされて構成されている。このジェットタンク導水路５２は、リムタンク１６の外壁に沿って下方に延びている。ジェットタンク洗浄水給水口５０から溢れ出た洗浄水は、その粘性或いは表面張力により、ジェットタンク導水路５２から離れることなく、ジェットタンク導水路５２を伝って下方まで流れるようになっている。そして、ジェットタンク導水路５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
【００３４】
ここで、本実施形態では、リムタンクが樹脂製及びジェットタンクが陶器製であり、このような組合せが良いが、リムタンクが陶器製であり、リムタンクとジェットタンクが一体で形成されても良い。そこで、本実施形態では、ジェットタンク洗浄水給水口５０を、補給水路（導気管路）２２の近傍に設けている。従って、リムタンク１６のジェットタンク１４への取付位置に誤差が生じても、上述したように、補給水路２２への洗浄水の流れ込みと、ジェットタンク洗浄水供給口５０からジェットタンク１４への給水とが、ほぼ同時に開始されるようになっている。
【００３５】
この際、補給水路２２からのリフィール水の水量と、ジェットタンク洗浄水給水口５０からの洗浄水のジェットタンク１４への水量との比は、０．３〜０．４５の範囲である。例えば、リフィール水の水量が１．７（ｌ）であり、ジェットタンク洗浄水給水口５０からの水量が４．７（ｌ）である。
【００３６】
次に、本発明の第１実施形態の作用効果を説明する。
先ず、本発明の第１実施形態では、リムタンク１６はジェットタンク１４の内側に配置され、このリムタンク１６には給水管４８から洗浄水が供給されるようになっている。リムタンク１６には、このリムタンク１６から洗浄水を溢れ出させてジェットタンク１４にその洗浄水を供給するためのジェットタンク洗浄水供給口５０が設けられている。ジェットタンク洗浄水供給口５０にはジェットタンク１４へ洗浄水を導くほぼリムタンク１６の外壁に沿って延びるジェットタンク導水路５２が接続され、この導水路５２の下端はジェットタンク１４に貯留された洗浄水の排水後の残留水位（ＤＷＬ）より下方に位置している。
【００３７】
このような構成によれば、ジェットタンク洗浄水供給口５０からジェットタンク導水路５２へと洗浄水が流れ、そのリムタンク１６から溢れ出した洗浄水は、その粘性或いは表面張力により導水路５２に沿って且つ導水路５２から離れることなくジェットタンク１４の底部へ向かって下降していく。
【００３８】
そして、導水路５２の下端は、ジェットタンク１４に貯留された洗浄水の排水後の残留水位（ＤＷＬ）より下方に位置しているので、リムタンク１６から溢れ出た洗浄水は、ジェットタンク１４の水面に「バシャバシャ」というような水はね音を立てて落ちるのではなく、ジェットタンク１４内の洗浄水に滑らかに着水するようになる。従って、洗浄水がタンク内の洗浄水の水面を直接叩くことなく、ジェットタンク１４へのリムタンク１６からの洗浄水の着水音を抑制して、ジェットタンク１４へ貯水させることが出来る。
【００３９】
また、ジェットタンク導水路５２は、ほぼリムタンク１６の外壁に沿って延びるので、ジェットタンク１４内で幅方向のスペースをほとんどとることがない。従って、省スペースで、洗浄水がタンク内の洗浄水の水面を直接叩くことなく貯水させることが出来る。
【００４０】
次に、ジェットタンク洗浄水供給口５０は、側面視でジェットタンク１４の上縁部から下方に凹状に切り欠かれて形成されると共に平面視でリムタンク１６の内方に向かって凹状になるように形成されている。ジェットタンク導水路５２はジェットタンク洗浄水供給口５０の平面視で凹状に形成された部分が下方に向かって延ばされて構成されている。従って、リムタンク１６の水が、ジェットタンク洗浄水給水口５０に滑らかに溢れ出すことが出来る。
【００４１】
次に、ジェットタンク洗浄水給水口５０は、平面視でその角部５０ｄが平面視でＲ形状に形成された矩形形状を有しているので、リムタンク１６の水が、ジェットタンク洗浄水給水口５０に滑らかに溢れ出すことが出来る。
【００４２】
次に、ジェットタンク洗浄水供給口５０は、側方且つ斜め上方に向けて突出した湾曲形状の曲面５０ｅで構成されている。また、ジェットタンク洗浄水供給口５０は、その断面が曲線形状を有する曲面状に形成されており、その曲面部分の法線が、その断面において上方から下方に向かうにつれて上方から側方に向けて傾くように変化する湾曲形状の曲面で構成されている。従って、リムタンク１６の水がジェットタンク洗浄水給水口５０から溢れ出す際、洗浄水が飛び散ったりすることなく、粘性或いは表面張力によりその曲面５０ｅに沿って滑らかに溢れ出すことが出来る。さらに、この湾曲形状の曲面５０ｅの断面がＲ形状に形成されているので、より確実に、リムタンク１６の洗浄水がジェットタンク洗浄水給水口５０から曲面５０ｅに沿って滑らかに溢れ出すようにすることが出来る。
【００４３】
次に、リムタンク１６はジェットタンク１４の内側に配置され、このリムタンク１６には給水管４８から洗浄水が供給され、この洗浄水はジェットタンク１４の洗浄水の水位が所定水位を超えたときに止水されるようになっている。リムタンク１６には、便器本体１のボウル部４にリフィール水を供給するための補給水管２２と、リムタンク１６から洗浄水を溢れ出させてジェットタンク１４にその洗浄水を供給するためのジェットタンク洗浄水供給口５０とが設けられている。給水管４８からリムタンク１６へ洗浄水が供給されこのリムタンク１６の洗浄水の水位が所定水位を超えると、補給水管２２からボウル部４にリフィール水が給水されると共にジェットタンク洗浄水供給口５０からジェットタンク１４に洗浄水が供給されるようになっている。
【００４４】
従って、補給水管２２からの溢水によりリフィール水を供給することが出来、従来のような給水弁とオーバーフロー管を連通した補給水管構造が不要になるため、リムタンク１６内の部品配置を簡素化でき、リムタンク１６内にスペースを生み出すことが出来る。また、補給水管２２に給水管４８が直接に接続されていないため、リフィール水を供給する際、給水管４８の給水圧力による変動を受け難く、補助水管から給水される補助水量をほぼ一定に保つことが出来る。補助水管とジェットタンク洗浄水供給口とが、洗浄水タンク平面視（図２参照）において中心線で左右２分割した一方集約され、近い位置で配置されているので、ジェットタンクへのリムタンクの取付位置に誤差が生じても、リフィール水供給量と第１タンクへの洗浄水供給量を精度良く調整することが出来る。
【００４５】
さらに、導気通路２０を補給水管２２として利用しているため、便器本体にリフィール水用の通路を新たに設ける必要がなく、スペースを有効活用することが出来る。また、便器本体１に複数の通路を設ける構成にしなくて良いため、便器本体１の製造コストを削減することが出来る。
ここで、従来の細管によるリフィール給水は、径が小さく給水圧によって絞り音がしていたが、今回は補給水管からあふれ出すことによるリフィール給水のため、絞り音が低減されている。
【００４６】
また、補給水路２２に洗浄水が流れ込むと同時にジェットタンク洗浄水供給口５０からジェットタンク１４への給水が開始されるようになっているので、それぞれの水量の調節を精度良く行うことが出来る。
【００４７】
次に、図１０乃至図１３により本発明の第２実施形態による水洗大便器の洗浄水タンク構造を説明する。図１０は、本発明の第２実施形態によるリムタンクを示す斜視図であり、図１１は、本発明の第２実施形態によるリムタンクを側方から見た側面図であり、図１２は、本発明の第２実施形態によるリムタンクを上方から見た平面図であり、図１３は、図１２のIII-III線に沿って見た断面図である。
第２実施形態の水洗大便器の構成は第１実施形態と同様であり、この第２実施形態では、ジェットタンク洗浄水給水口５０及びジェットタンク導水路５２の構成が異なっている。ここでは、第１実施形態と同じ構成については、その説明を省略し、異なる特徴部分について説明する。
【００４８】
図１０に示すように、リムタンク１６には、その周縁部の一部が切り欠かれてジェットタンク洗浄水給水口１５０が形成されている。図１０及び図１１に示すように、このジェットタンク洗浄水給水口１５０は、側面視でほぼ矩形状に切り欠かれており、その空間の下縁部１５０ａ（図１２参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、洗浄水がこのジェットタンク洗浄水給水口１５０から溢れ出るようになっている。そして、ジェットタンク１４への給水が行われる。
【００４９】
また、図１２に示すように、ジェットタンク洗浄水給水口１５０は、平面視で、リムタンク１６の周縁部から、リムタンク１６の内方に向かって凹状になるように形成されている。本実施形態では、その凹状の部分１５０ｂが、ほぼ矩形状に形成されている。
【００５０】
次に、図１３に示すように、ジェットタンク洗浄水給水口１５０の下端部１５０ａより下方には、ジェットタンク導水路１５２が形成されている。図１０及び図１２に示すように、このジェットタンク導水路１５２は、ジェットタンク洗浄水供給口の平面視で凹状に形成された部分１５０ｂが下方に向かって延ばされて構成されている。このジェットタンク導水路１５２は、リムタンク１６の外壁に沿って下方に延びている。そして、ジェットタンク導水路１５２の下端はジェットタンク１４に貯留された洗浄水の排水後の残留水位（ＤＷＬ）より下方に位置している。
【００５１】
ここで、第２実施形態では、図１０及び図１３に示すように、ジェットタンク洗浄水供給口１５０を覆うように且つジェットタンク洗浄水供給口１５０から離間して下方に延びる板状部材１５４が設けられている。この板状部材１５４は、リムタンク１６の側面部に向けて傾斜した下端部（傾斜部）１５４ａを有する。
【００５２】
この第２実施形態では、この板状部材１５４に衝突した洗浄水が、その傾斜した部分１５４ａにより、リムタンク１６の壁面部の一部であるジェットタンク導水路１５２に向けて流れる。そして、そのように流れた洗浄水は、リムタンク１６のジェットタンク導水路１５２を伝って下方に流れるように形成されている。
なお、板状部材１５４は、リムタンク１６から溢れ出した洗浄水が、リムタンク１６の壁面部の一部であるジェットタンク導水路１５２に向けて流れるように、その全体が傾斜していても良い。
【００５３】
次に、本発明の第２実施形態の作用効果を説明する。
先ず、ジェットタンク洗浄水給水口１５０から溢れ出た洗浄水は、板状部材１５４及びその傾斜部分１５４ａとにより、ジェットタンク導水路１５２に向けて流され、今度は、その洗浄水の粘性或いは表面張力により、ジェットタンク導水路１５２から離れることなく、ジェットタンク導水路１５２を伝って下方まで流れるようになっている。そして、ジェットタンク導水路１５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
また、このような板状部材１５４を設けるだけなので、簡易な且つ低コストでリムタンク１６から溢れ出た洗浄水をジェットタンク１４内の洗浄水に滑らかに着水するようにすることが出来る。
【００５４】
次に、図１４及び図１５により本発明の第３実施形態による洗浄水タンク構造を説明する。図１４は、本発明の第３実施形態によるリムタンクのジェットタンク洗浄水給水口及びジェットタンク導水路を示す斜視図であり、図１５は、本発明の第３実施形態によるリムタンクのジェットタンク洗浄水給水口及びジェットタンク導水路を示す側面図である。
第３実施形態の水洗大便器の構成は第１実施形態と同様であり、この第３実施形態では、ジェットタンク洗浄水給水口５０及びジェットタンク導水路５２の構成が異なっている。ここでは、第１実施形態と同じ構成については、その説明を省略し、異なる特徴部分について説明する。
【００５５】
図１４及び図１５に示すように、リムタンク（図示せず）には、その周縁部の一部が切り欠かれたジェットタンク洗浄水給水口２５０が形成されている。このジェットタンク洗浄水給水口２５０には、リムタンク１６から溢れ出す洗浄水の整流部材、即ち、複数のスリット２５４が設けられている。
【００５６】
次に、ジェットタンク洗浄水給水口２５０の下端部２５０ｃより下方には、ジェットタンク導水路２５２が形成されている。このジェットタンク導水路２５２は、ジェットタンク洗浄水供給口２５０の平面視で凹状に形成された部分が下方に延出されて構成されている。このジェットタンク導水路２５２は、リムタンク１６の外壁に沿って下方に延びている。そして、ジェットタンク導水路２５２の下端はジェットタンク１４に貯留された洗浄水の排水後の残留水位（ＤＷＬ）より下方に位置している。
【００５７】
次に、本発明の第３実施形態の作用効果を説明する。
先ず、ジェットタンク洗浄水給水口２５０から溢れ出た洗浄水は、整流部材２５４により、ジェットタンク洗浄水給水口２５０の幅方向にわたって、各スリット２５４を流れる水量がほぼ均一になるようになっている。即ち、整流部材２５４を設けることにより、リムタンク１６から溢れる洗浄水が、その幅方向の位置によって多かったり少なかったりすることなく、幅方向に均一な水量で流れるようになっている。
【００５８】
従って、この幅方向に均一な水量で溢れる洗浄水が、その粘性或いは表面張力により、ジェットタンク導水路２５２へと下方へ向けて案内され、下方に方向転換して、ジェットタンク導水路２５２から離れることなく、ジェットタンク導水路２５２を伝って下方まで流れる。そして、ジェットタンク導水路２５２の下端はジェットタンク１４に貯留された洗浄水の排水後の残留水位（ＤＷＬ）より下方に位置しているので、リムタンク１６から溢れ出た洗浄水は、ジェットタンク１４内の洗浄水に滑らかに着水するようになる。
【００５９】
なお、この第３実施形態による整流部材２５４を、上述した第１実施形態によるジェットタンク洗浄水給水口５０、或いは、第２実施形態によるジェットタンク洗浄水給水口１５０に設けても良い。このような場合も、上述した第１実施形態及び第２実施形態による作用効果に加え、リムタンク１６から溢れ出す洗浄水をより確実にジェットタンク導水路５２、１５２へと、剥離することなく導くことが出来る。
【００６０】
次に、図１６乃至図１９により本発明の第４実施形態による水洗大便器の洗浄水タンク構造を説明する。図１６は、本発明の第４実施形態によるリムタンクを示す斜視図であり、図１７は、本発明の第４実施形態によるリムタンクを側方から見た側面図であり、図１８は、本発明の第４実施形態によるリムタンクを上方から見た平面図であり、図１９は、図１８のIX-IX線に沿って見た断面図である。
第４実施形態の水洗大便器の構成は第１実施形態と同様であり、この第４実施形態では、ジェットタンク洗浄水給水口５０及びジェットタンク導水路５２の構成が異なっている。ここでは、第１実施形態と同じ構成については、その説明を省略し、異なる特徴部分について説明する。
【００６１】
この第４実施形態では、図１６乃至図１９に示すように、ジェットタンク洗浄水供給口３５０に、このジェットタンク洗浄水供給口を覆うように網状部材３５４が設けられ、この網状部材３５４は導水路３５２に沿って下方に延びている。
【００６２】
先ず、図１６に示すように、リムタンク１６には、その周縁部の一部が切り欠かれてジェットタンク洗浄水給水口３５０が形成されている。図１６及び図１７に示すように、このジェットタンク洗浄水給水口３５０は、側面視でほぼ矩形状に切り欠かれており、その空間の下縁部３５０ａ（図１９参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、このジェットタンク洗浄水給水口３５０から溢れ出るようになっている。そして、ジェットタンク１４への給水が行われる。
【００６３】
また、図１８に示すように、ジェットタンク洗浄水給水口３５０は、平面視で、リムタンク１６の周縁部から、リムタンク１６の内方に向かって凹状になるように形成されている。本実施形態では、その凹状の部分３５０ｂが、ほぼ矩形状に形成されている。
【００６４】
次に、図１６、図１７及び図１９に示すように、ジェットタンク洗浄水給水口３５０の下端部３５０ａより下方には、ジェットタンク導水路３５２が形成されている。図１６及び図１８に示すように、このジェットタンク導水路３５２は、ジェットタンク洗浄水供給口の平面視で凹状に形成された部分３５０ｂが下方に向かって延ばされて構成されている。このジェットタンク導水路３５２は、リムタンク１６の外壁に沿って下方に延びている。そして、ジェットタンク導水路３５２の下端はジェットタンク１４に貯留された洗浄水の排水後の残留水位（ＤＷＬ）より下方に位置している。
【００６５】
ここで、第４実施形態では、上述したようにジェットタンク洗浄水供給口３５０を覆うように網状部材３５４が設けられている。さらにこの網状部材３５４はジェットタンク導水路３５２にわたって下方に延びている。
【００６６】
この第４実施形態では、リムタンク１６から溢れ出そうとする洗浄水が、このジェットタンク洗浄水給水口３５０に設けられた網状部材３５４に当たり、その洗浄水の粘性或いは表面張力によって、網状部材３５４を伝って、ジェットタンク導水路３５２に沿って下方に向けて流れるようになっている。
【００６７】
なお、この第４実施形態による網状部材３５４を、上述した第１実施形態によるジェットタンク洗浄水給水口５０、或いは、第２実施形態によるジェットタンク洗浄水給水口１５０に設けても良い。さらに、網状部材３５４を、第１実施形態によるジェットタンク導水路５２、或いは、第２実施形態による導水路１５２に設けても良い。これらのような場合も、上述した第１実施形態及び第２実施形態による作用効果に加え、リムタンク１６から溢れ出す洗浄水をより確実にジェットタンク導水路５２、１５２へと、剥離することなく導くことが出来る。
【００６８】
次に、本発明の第４実施形態の作用効果を説明する。
先ず、ジェットタンク洗浄水給水口３５０から溢れ出た洗浄水は、網状部材３５４により、より大きな表面張力を得て、ジェットタンク導水路３５２に向けて流される。そして、その洗浄水の粘性或いは表面張力により、ジェットタンク導水路３５２から離れることなく、網状部材３５４が設けられたジェットタンク導水路３５２を伝って下方まで流れるようになっている。そして、ジェットタンク導水路３５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
このように網状部材３５４によれば、ジェットタンク洗浄水給水口３５０及びジェットタンク導水路３５２と、網状部材３５４との間の表面張力が増すので、リムタンク１６から溢れ出した洗浄水が勢いよく飛び出すことなく且つ洗浄水が剥離することなくジェットタンク１４内の貯水まで流すことが出来る。
【００６９】
次に、図２０乃至図２３により本発明の第５実施形態による水洗大便器の洗浄水タンク構造を説明する。図２０は、本発明の第５実施形態によるリムタンクを示す斜視図であり、図２１は、本発明の第５実施形態によるリムタンクを側方から見た側面図であり、図２２は、本発明の第５実施形態によるリムタンクを上方から見た平面図であり、図２３は、図２２のIV-IV線に沿って見た断面図である。
第５実施形態の水洗大便器の構成は第１実施形態と同様であり、この第５実施形態では、ジェットタンク洗浄水給水口５０及びジェットタンク導水路５２の構成が異なっている。ここでは、第１実施形態と同じ構成については、その説明を省略し、異なる特徴部分について説明する。
【００７０】
先ず、図２０に示すように、リムタンク１６には、その周縁部の一部が切り欠かれてジェットタンク洗浄水給水口４５０が形成されている。図２０に示すように、このジェットタンク洗浄水給水口４５０は、側面視でほぼ矩形状に切り欠かれており、その空間の下縁部４５０ａ（図２３参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、このジェットタンク洗浄水給水口４５０から溢れ出るようになっている。そして、ジェットタンク１４への給水が行われる。
【００７１】
次に、図２０、図２１及び図２３に示すように、ジェットタンク洗浄水給水口４５０には、リムタンク１６から溢れる洗浄水のためのガイド板４５４及びガイド面４５６が形成されている。このガイド面４５６の中央には円形状の孔４５８が形成され、この円形状の孔の下方には、中空円筒部材４５２が取り付けられている。この中空円筒部材４５２は、リムタンク１６の外壁にほぼ平行に下方に向けて延びている。そして、中空円筒部材４５２の下端はジェットタンク１４に貯留された洗浄水の排水後の残留水位（ＤＷＬ）より下方に位置している。
【００７２】
次に、本発明の第５実施形態の作用効果を説明する。
先ず、リムタンク１６から溢れる洗浄水は、ガイド板４５４及びガイド面４５６によって囲まれた空間に流れ込み、この流れ込んだ洗浄水は孔４５８を通って、中空円筒部材４５２に流れ込み、さらに、中空円筒部材４５２に沿って下方に流れるようになる。ここで、中空円筒部材４５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
【００７３】
なお、上述した第１乃至第５の実施形態において、リムタンク内にジェットタンクが設けられている構成として、各実施形態のようにタンク洗浄水供給口及び導水路を形成しても良い。また、リムタンクとジェットタンクが、一体で成形され、リム洗浄水の貯水域とゼットタンクの貯水域が分離しているもの又はリムタンクとジェットタンクが並列に並んでいるものでも良い。本実施形態では、リフィール水の導水路を導気路と併用しているが、リム通水路、ゼット導水路、別の導水路と併用してもよい。また、例えば、リムタンクからのオーバーフロー水によってリフィール水を取る構成としているが、ジェットタンクからのオーバーフロー水でリフィールを取ってもよい。また、リフィールの開口はリムタンクの外でも良い。
【図面の簡単な説明】
【００７４】
【図１】本発明の実施形態による水洗大便器の断面図である。
【図２】本発明の第１実施形態による洗浄水タンクの内部を上方から見た平面図である。
【図３】図２のIII-III線に沿って見た洗浄水タンクの断面図である。
【図４】本発明の第１実施形態によるリムタンクを示す斜視図である。
【図５】本発明の第１実施形態によるリムタンクを側方から見た側面図である。
【図６】本発明の第１実施形態によるリムタンクを上方から見た平面図である。
【図７】図６のVII-VII線に沿って見た断面図である。
【図８】図６のVIII-VIII線に沿って見た断面図である。
【図９】図６のIX-IX線に沿って見た断面図である。
【図１０】本発明の第２実施形態によるリムタンクを示す斜視図である。
【図１１】本発明の第２実施形態によるリムタンクを側方から見た側面図である。
【図１２】本発明の第２実施形態によるリムタンクを上方から見た平面図である。
【図１３】図１２のIII-III線に沿って見た断面図である。
【図１４】本発明の第３実施形態によるリムタンクのジェットタンク洗浄水給水口及びジェットタンク導水路を示す斜視図である。
【図１５】本発明の第３実施形態によるリムタンクのジェットタンク洗浄水給水口及びジェットタンク導水路を示す側面図である。
【図１６】本発明の第４実施形態によるリムタンクを示す斜視図であり。
【図１７】本発明の第４実施形態によるリムタンクを側方から見た側面図である。
【図１８】本発明の第４実施形態によるリムタンクを上方から見た平面図である。
【図１９】図１８のIX-IX線に沿って見た断面図である。
【図２０】本発明の第５実施形態によるリムタンクを示す斜視図である。
【図２１】本発明の第５実施形態によるリムタンクを側方から見た側面図である。
【図２２】本発明の第５実施形態によるリムタンクを上方から見た平面図である。
【図２３】図２２のIV-IV線に沿って見た断面図である。
【符号の説明】
【００７５】
１  水洗大便器
２  便器本体
４  ボウル部
６  排水トラップ管路
８  ジェット吐水口
１０  リム吐水口
１２  洗浄水タンク
１４  ジェットタンク
１６  リムタンク
２０  導気通路（補給水路）
２２  導気管路（補給水路）
２４  導気室（補給水路）
３０  ジェット排水弁
３６  リム排水弁
４０  ボールタップ
４８  給水管
５０、１５０、２５０、３５０、４５０  ジェットタンク洗浄水供給口
５０ｅ  湾曲形状の曲面
５２、１５２、２５２、３５２  ジェットタンク導水路
４５２  中空円筒部材
【図１】
0005164019.tif 000002
【図２】
0005164019.tif 000003
【図３】
0005164019.tif 000004
【図４】
0005164019.tif 000005
【図５】
0005164019.tif 000006
【図６】
0005164019.tif 000007
【図７】
0005164019.tif 000008
【図８】
0005164019.tif 000009
【図９】
0005164019.tif 000010
【図１０】
0005164019.tif 000011
【図１１】
0005164019.tif 000012
【図１２】
0005164019.tif 000013
【図１３】
0005164019.tif 000014
【図１４】
0005164019.tif 000015
【図１５】
0005164019.tif 000016
【図１６】
0005164019.tif 000017
【図１７】
0005164019.tif 000018
【図１８】
0005164019.tif 000019
【図１９】
0005164019.tif 000020
【図２０】
0005164019.tif 000021
【図２１】
0005164019.tif 000022
【図２２】
0005164019.tif 000023
【図２３】
0005164019.tif 000024